(57)【要約】      （修正有）【課題】取り扱いが簡便で構造的には簡素で効率良く空気中の埃、微粒子をフイルターの編み目に出来る水膜及び水が浸透した繊維で捕集すると共に常温に於いても加湿効果が有する空気清浄機の提供。【解決手段】埃、微粒子を含んだ空気を機内に吸い込むファン４と埃、微粒子を捕集するフイルター２とフイルターの下端に設けられた水を貯留する貯留部３を備えており、フイルターに水を供給するポンプ８は水の貯留部底板の下側に設けてあり、ポンプの吸入側は貯留部底板の水の出口ノズルに接続されており、ポンプの吐出側は水の貯留部内に垂直に設けられている主配管２５に接続されていて、主配管の上部にはフイルターに水を均等供給するヘッダー６が設けており、フイルターの素材は通気性、保湿性、吸水性が有り、洗濯後再度使う事ができる繊維及び不織布を使用する空気清浄機。【選択図】図１
2017113655.tif 000002
【特許請求の範囲】
【請求項１】
フイルターに空気を吸い込むフアンとフイルターの下部に設けられた水を貯留する貯留部を備え、フイルターの下端が貯留された水に浸されていることを特徴とする空気清浄機。
【請求項２】
フイルターに水を供給する手段を有することを特徴とする請求項１に記載の空気清浄機。
【請求項３】
フイルターへ水を供給するポンプと、フイルターに空気を吸い込むファンと、フイルターの下部に設けられた水を貯留する貯留部を備え、フイルターの下端が貯留された水に浸されていることを特徴とする請求項２空気清浄機。
【請求項４】
フイルターの上部に水が供給された箇所の下方に部材を設けて、水の溜水を作り溜水を水平方向に浸透させてフイルターの全面に水を満たし、編み目に水膜が出来る共に繊維に水を浸透させて、フアンによって空気を吸い込むことを特徴とする請求項１及び請求項３に記載の空気清浄機。
【請求項５】
ポンプの運転はサイクルタイマーで発停させて、フイルターに水を供給することによりポンプの消費電力を省力化する事を特徴とする請求項２から請求項４のいずれかに記載の空気清浄機。
【請求項６】
補給水タンクの下方に設けてある緩衝器から貯留槽に水を自動的に供給する事を特徴とする請求項２から請求項５のいずれかに記載の空気清浄機。
【請求項７】
フアンの上方には内面に粘着剤を塗布して有り、側面に開口部が有る排風フードが設けて有る。フイルターで清浄された空気内の未捕集の微粒子は排風フード内面に塗布された粘着剤に衝突作用で付着させることを特徴とする請求項１から請求項５のいずれか記載の空気清浄機。
【発明の詳細な説明】
【技術分野】
【０００１】
本発明は空気清浄機に関する。
【背景技術】
【０００２】
空気中の埃、微粒子を捕集する空気清浄機には乾式空気清浄機と湿式空気清浄とが知られている。例えば湿式空気清浄機としては特許文献１に記載された湿式空気清浄機が開示されている。空気清浄の手段として回転するフイルターとフイルターを取り付ける枠体は空気が通過する欠円形状の開口が有る。筐体の吸気口も欠円形状の開口が一か所有り双方の欠円形状の開口を合致させて空気を通過することにより空気清浄を行う。空気内の塵芥を捕集したフイルターは下方の水槽内を通ることによって洗浄される構造になっている。
【先行技術文献】
【特許文献】
【０００３】
【特許文献１】特開平０９−０７５６４９
【発明の概要】
【発明が解決しようとする課題】
【０００４】
しかしながら特許文献１に記載された湿式空気清浄機に於いて次に掲げる問題
点が有る。
【０００５】
フイルターに捕集された空気中の塵芥はフイルターの繊維等の表面及び内部
に付着する為、下方の水の容器内に浸し、通過させるだけではフイルターの洗浄をすることが出来ない。そのため分解、掃除、乾燥後に組み立てて再使用するか或はフイルターを交換することになるが構造的にはロッドを中心とした回転構造となっていてエアーシール摺動部も含め分解、掃除後の組立てが難しい。又水を入れる容器にフイルターで捕集した塵芥の一部が沈殿するが構造上それの清掃がし難い。
【０００６】
フイルター枠はロッドを中心として回転する構造になっているため外周のエアーシールを確実にしなければならい。そのためフイルター枠体を押し付けて、摺動しながら回転するようになる。しかしながらフイルター枠体の通気口が欠円形状になっていて筐体開口部分の縁でシール材を損傷して剥離させる可能性がある。
【０００７】
そのためフイルターの駆動方法は前記を考慮しなくてはならず、又検知器も誤動作する可能性が有りそのため緩慢にフイルターを回転させなければならない。原動機は減速比の大きい重量の重い減速モーターか或はモーターをインバーター制御する事となり、いずれにしても価格的には高価になる。
【０００８】
フイルターは枠体及び筐体の欠円孔が合致した孔一か所より通気することとなり所定の風量を得るにはフイルターの圧損を考慮して排気フアンの静圧を高くすることが必要になる。その場合は馬力も大きくなり排気フアンの発生する回転音及びフイルターを風が通過する音も大きくなり騒音の元となる。
【課題を解決するための手段】
【０００９】
本発明の請求項１に記載の空気清浄機は、フイルターに空気を吸い込むフアンとフイルターの下部に設けられた水を貯留する貯留部を備え、フイルターの下端が貯留された水に浸されていることを特徴とするものである。
【００１０】
本発明の請求項２に記載の空気清浄機は、フイルターへ水を供給する手段と、フイルターに空気を吸い込むフアンと、フイルターの下部に設けられた水を貯留する貯留部を備え、フイルターの下端が貯留された水に浸されていることを特徴とするものである。
【００１１】
本発明の請求項３に記載の空気清浄機は、フイルターへ水を供給するポンプと、フイルターに空気を吸い込むフアンと、フイルターの下部に設けられた水を貯留する貯留部を備え、フイルターの下端が貯留された水に浸されていることを特徴とするものである。
【００１２】
本発明の請求項４に記載の空気清浄機は、フイルターに水が供給された箇所の下方に部材を設けて水の溜水を作り水平方向に浸透させてフイルターの全面に水を満たし編み目に水膜が出来ると共に、繊維に水を浸透させて、フアンによって空気を送り込むことを特徴とするものである。
【００１３】
本発明の請求項５に記載の空気清浄機は、ポンプをサイクルタイマーで発停させフイルターに水を供給することによりポンプの消費電力を省力化する事を特徴とするものである。
【００１４】
本発明の請求項６に記載の空気清浄機は、補給水タンクの下方に設けてある緩衝器から貯留槽に水を自動的に供給することを特徴とするものである。
【００１５】
本発明の請求項７に記載の空気清浄機は、内面に粘着剤を塗布してあり、側面に開口部が有る排風フードがフアン上方に設けて有る。フイルターで清浄された空気内の未捕集の微粒子は排風フード内面に塗布された粘着剤に衝突作用で付着させることを特徴とするものである。
【発明の効果】
【００１６】
本発明の空気清浄機は構造的に簡素であり水が満たされたフイルターの編目に出来る水膜及び水を十分に含んだ繊維、不織布及びフアンの上方に設けられた排風フード内に塗布された粘着剤で空気中の埃、微粒子を極限まで捕集する事が出来ると共にタバコの煙等の除臭効果もある。
【００１７】
本発明のフイルターに使用する素材は一般に市販されているタオル地、綿サラシ、不織布等を縫合成形加工して使用するので廉価である。フイルターは通気性、保湿性、吸水性に優れて居りメンテナンスが容易で有り、洗濯後天日干しを行い何度でも再使用が出来るので衛生的にも優れている。                                                                                
【００１８】
従来市販されている空気清浄機は構造が複雑で価格も高価でありメンテナンスも手間がかかる。又フイルターも使い捨てで有り購入費用も高価である。
【００１９】
本発明の空気清浄機は構造的にも簡素で価格的にも廉価であり取り扱いも簡便である。又湿気の必要な時節には常温に於いても十分に水が気化する加湿機能を持つ空気清浄機を提供することが出来る。      
【００２０】
本発明ではポンプの発停はサイクルタイマーの電気信号で行いサイクルは任意の時間設定が出来る。例えばサイクルを１５分間に設定、ポンプの運転時間を３０秒間とすることにより電気消費量が抑えられ且つポンプの寿命も伸びることによりメンテナンスの期間も大幅に伸ばすことが出来る。
【００２１】
本発明の空気清浄機はフイルターに水を供給するポンプは水の貯留部底板の下側に設けて有り、吸入側は水の出口ノズルに接続している。吐出側はフイルターに水を供給する主配管ノズルに接続していて、主配管の上部には水を均等に噴射供給するヘッダーが設けて有る。フイルターへ水を供給するノズルはクリテイカルノズルになって居りポンプの吐出圧力が低圧でもフイルターへ水を噴射供給できるため、ポンプの動力を小さくすることが出来る。
【００２２】
本発明の空気清浄機は加湿機能が有り消毒作用のある塩素を含んだ水を常温で使用するため細菌やカビ、雑菌等の繁殖を防ぎ加湿器病などの発症を抑える事が出来る。又はフイルター枠より簡便に脱着が出来るフイルターは汚れを洗濯後、天日干しを行うことにより衛生的に使う事が出来る。しかも本発明はいろいろな形態や状況、条件に対応が出来ることで応用範囲は家庭の居間、寝室、勉強部屋、学校の教室、公共の各施設、ホテル、旅館の客室等で使用する小型の空気清浄機から大型化にすることにより工業用水を使用して工場のプラント等から出る排気ガスからもからも埃、微粒子を除去することが出来る。又粉塵、埃、微粒子を含んだ高温、高湿度のガスを冷却並びに蒸気を凝縮させるガス洗浄機としても利用が出来る。
【図面の簡単な説明】
【００２３】
【図１】空気清浄機模式図其の１
【図２】空気清浄機模式図其の２
【図３】空気清浄機模式図其の３行灯機能付図
【図４】上記模式図の空気取り入れ口図
【図５】空気清浄機模式図其の４、横設置型補給水タンク付設図
【図６】前記給水緩衝器説明図
【図７】空気清浄機模式図其の５、上設置型補給水タンク付設図
【図８】上記補給水タンク用給水弁組立図
【図９】空気清浄機模式図其の５、ガス洗浄機模式図
【図１０】空気清浄実験機組立図其の１
【図１１】空気清浄実験機組立図其の２
【図１２】埃、微粒子捕集前のペットボトル内水の撮影写真
【図１３】埃、微粒子捕集後のペットボトル内水の撮影写真
【図１４】図１０空気清浄実験機に於ける埃、微粒子捕集前のフイルターの写真
【図１５】図１０空気清浄実験機に於ける埃、微粒子捕集後のフイルターの写真
【図１６】小型空気清浄機模式図
【図１７】小型空気清浄機用内筒品図及び外筒品図
【発明を実施するための形態】
【００２４】
本発明の実施するための形態に係る空気清浄機は加湿機能が有り実験機にて加湿実証実験を行った。第１の実証実験は図１０に示す空気清浄実験機でフイルターの素材は不織布を使用した。加湿機能データーは表１に示す。
【００２５】
【表１】
2017113655.tif 000003
フアンの仕様は風量１時間当たり５４ＮＭ3、静圧は水柱４４Pa、１時間当たりのフアンの乾燥空気量は69.867ｋｇである。フイルターの空気の通過面積は０．１１２Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度2１℃、関係湿度38％の時、実験機の排気温度は１９℃、関係湿度５４％になった。1時間当たりの水の気化量は実測値０．０３８ｋｇであり所要乾燥空気量は一時間当たり２５．０６ｋｇであるため空気清浄実験機のフアンの風量は1時間当たり約２１Ｍ3になる。フアンの仕様に於いて1時間当たりの風量は５４ＮM３でありその差がフイルターを空気が通過する時の抵抗値となる。本実証実験の結果,例えば部屋の容積が約２８．５Ｍ2（８畳間）の場合２４時間当たり約１７．７回空気が空気清浄機を通過する事となる。
【００２６】
本発明の実施するための形態に係る空気清浄機は加湿機能が有り実験機にて加湿実証実験を行った。第２の実証実験は図１１に示す空気清浄実験機でフイルターの素材は編み目が密なタオル地を使用した。加湿機能データーは表２に示す。
【００２７】
【表２】
2017113655.tif 000004
フアンの仕様は第１の実証実験と同様、ポンプの仕様はDC１２V消費電流４００ｍA、流量は１時間当たり０．００６Ｍ3,圧力は９０ＫＰaである。フイルターの空気の通過面積は０．１１２Ｍ2の時の実証実験データーは下記の如になった。符号Wは水、２０１は水の貯留部、２０２はフイルター、２０３はポンプ、２０４はフアン、２０５はスプレーノズル、２０６はヘッダー、２０７は補給水タンク、２０８は液面調節部、２０９は貯留槽である。実験機の吸気温度１９℃、関係湿度４４％の時、実験機の排気温度は１４℃、関係湿度は８０％になった。１時間当たりの水の気化量は実測値０．０９２ｋｇであり所要乾燥空気量１時間当たり４３ｋｇとなる。故に空気清浄試実験機のフアンの風量は１時間当たり約３５．５Ｍ3になる。フアンの仕様に於いて１時間当たりの風量は５４ＮＭ3でありその差がフイルターを空気が通過する時の抵抗値となる。本実証実験の結果、例えば部屋の容積が約２８．５Ｍ3（８畳間）の場合２４時間当たり約３０回空気が空気清浄機を通過する事となる。
【００２８】
本発明の実施するための形態に係る空気清浄機は加湿機能が有り実験機にて加湿実証実験を行った。第３の実証実験は図１０に示す空気清浄実験機でフイルターの素材は編み目が密のタオル地を使用した。加湿機能データーは表３に示す。
【００２９】
【表３】
2017113655.tif 000005
フアンの仕様は第１の実証実験と同様、フイルターの空気通過面積は０．１１２Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度２２℃、関係湿度４６％の時、実験機の排気温度は１８℃、関係湿度７５％になった。１時間当たりの水の気化量は実測値０．０７５ｋｇであり所要乾燥空気量は１時間当たり３５．１ｋｇとなる。故に空気清浄実験機のフアンの風量は１時間当たり２９．５Ｍ3になる。フアンの仕様に於いて１時間当たりの風量は５４ＮＭ3でありその差がフイルターを空気が通過する時の抵抗値となる。本実証実験の結果、例えば部屋の容積が約２８．５Ｍ3(８畳間)の場合２４時間当たり約２４．８回空気が空気清浄機を通過する事となる。
【００３０】
本発明の実施するための形態に係る空気清浄機は加湿機能が有り実験機にて加湿実証実験を行った。第４の実証実験は図１０に示す空気清浄実験機でフイルター布の素材は編み目が粗いタオル地を使用した。加湿機能データーは表４に示す。
【００３１】
【表４】
2017113655.tif 000006
フアンの仕様は第１の実証実験と同様、フイルターの空気通過面積は０．１１２Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度２２℃関係湿度４７％の時、実験機の排気温度は１６℃、関係湿度は８４％になった。１時間当たりの水の気化量は実測値０．１１０ｋｇであり所要乾燥空気量は１時間当たり６１．３５ｋｇとなる。故に空気清浄実験機のフアンの風量は１時間当たり５１．８Ｍ3になる。フアンの仕様に於いて１時間当たりの風量は５４ＮＭ3でありその差がフイルターを空気が通過する時の抵抗値となる。本実証実験の結果、例えば部屋の容積が約２８．５Ｍ3（８畳間）の場合２４時間当たり約４３．６回空気が空気清浄機を通過する事となる。
【００３２】
本発明の実施するための形態に係る空気清浄機は加湿機能が有り実験機に
加湿実証実験を行った。第５の実証実験は図１０に示す空気清浄実験機でフイルターの素材は綿サラシを使用した。加湿機能データーは表５に示す。
【００３３】
【表５】
2017113655.tif 000007
フアンの仕様は第１の実証実験と同様、フイルターの空気通過面積は０．１１２Ｍ2の時の実証実験データーは下記の如くになった。符号Ｗは水、１０１は水の貯留部、１０２はフイルター、１０３は給水部品、１０４はフアン、１０５は給水タンク、１０６は貯留槽である。実験機の吸気温度２１℃、関係湿度５０％の時、実験機の排気温度は１８℃、関係湿度７３％になった。１時間当たりの水の気化量は実測値０．０４３ｋｇであり所要乾燥空気量は１時間当たり２５．７ｋｇとなる。故に空気清浄実験機のフアンの風量は１時間当たり２１．０Ｍ３になる。フアンの仕様に於いて１時間当たりの風量は５４ＮＭ3でありその差がフイルターを空気が通過する時の抵抗値となる。本実証実験の結果、例えば部屋の容積が約２８．５Ｍ3（８畳間）の場合２４時間当たり約２１回空気が空気清浄機を通過する事となる。
【００３４】
本発明の実施するための形態に係る空気清浄機は加湿機能が有り実験機にて
加湿実証実験を行った。第６の実証実験は図１０に示す空気清浄実験機でフイルターの素材は編み目が密のタオル地を使用した。加湿機能データーは表６に示す。
【００３５】
【表６】
2017113655.tif 000008
フアンの仕様は第１の実証実験と同様、フイルターの空気通過面積は０．０８８Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度１９℃関係湿度３７％の時、実験機の排気温度は１７℃、関係湿度は６２％になった。１時間当たりの水の気化量は実測値０．０６１ｋｇであり所要乾燥空気量は１時間当たり２６．３ｋｇとなる。故に空気清浄実験機のフアンの風量は１時間当たり２１．８Ｍ3になる。フアンの仕様に於いて１時間当たりの風量は５４ＮＭ３でありその差がフイルターを空気が通過する時の抵抗値となる。本実証実験の結果、例えば部屋の容積が約２８．５Ｍ3（８畳間）の場合２４時間当たり約１８．３回空気が空気清浄機を通過する事となる。
【００３６】
本発明の実施するための形態に係る空気清浄機は加湿効果が有り実験機にて加湿実証実験を行った。第７の実証実験は図１０に示す空気清浄実験機でフイルターの素材は編み目が粗いタオル地を使用した。加湿機能データーは表７に示す。
【００３７】
【表７】
2017113655.tif 000009
フアンの仕様は第１の実証実験と同様、フイルターの空気通過面積は０．０８８Ｍ2の時の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度２０℃、関係湿度４０％の時に実験機の排気温度は１５℃、関係湿度は７５％になった。１時間当たりの水の気化量は０．０７８ｋｇであり所要乾燥空気量は１時間当たり３６．４ｋｇとなる。故に空気清浄実験機のフアンの風量は１時間当たり３０．３Ｍ3になる。フアンの仕様に於いて１時間当たりの風量は５４Ｎｍ3でありその差がフイルターを空気が通過する時の抵抗値となる。本実証実験の結果、例えば部屋の容積が約２８．５Ｍ3(８畳間)の場合２４時間当たり約２５．５回空気が空気清浄機を通過する事となる。
【００３８】
本発明の実施するための形態に係る空気清浄機は加湿機能が有り実験機にて加湿実証実験を行った。第８の実証実験は図１０に示す空気清浄実験機でフイルターの素材は綿サラシを使用した。加湿機能データーは表８に示す。
【００３９】
【表８】
2017113655.tif 000010
フアンの仕様は第１の実証実験と同様、フイルターの空気通過面積は０．０８８Ｍ２の実証実験データーは下記の如くになった。符号Ｗは水、１０１は水の貯留部、１０２はフイルター、１０３は給水部品、１０４はフアン、１０５は補給水タンク、１０６は貯留槽である。実験機の吸気温度は２３℃、関係湿度は６０％の時に実験機の排気温度は２１℃、関係湿度は７７％になった。１時間当たりの水の気化量は実測値０．０３７ｋｇであり所要乾燥気量は１時間当たり２６．４ｋｇとなる。故に空気清浄実験機のフアンの風量は１時間当たり２２．５Ｍ3になる。フアンの仕様に於いて１時間当たりの風量は５４ＮＭ3でありその差がフイルターを空気が通過する時の抵抗値となる。本実証実験の結果、例えば部屋の容積が約２８．５Ｍ3(８畳間)の場合約１９回空気が空気清浄機を通過する事となる。
【００４０】
本発明の実施形態に係る空気清浄機は年間を通して使用できるが特に湿度の低い季節に加湿機としての機能を有している。例えば８畳間で暖房を行い部屋内の内装、家具調度品、空気の置換等諸条件を加味しないで、部屋内の空気のみを温度１８℃、湿度４０％から温度２０℃、湿度６０％にするには約０．１１ｋｇの気化量が必要になる。然るに上記条件で０．１１ｋｇの水を気化させる時間は計算値で有るが表１の場合約２．９時間、表２の場合約１．２時間、表３の場合約１．５時間、表４の場合約１時間、表５の場合約２．５時間、表６の場合約１．８時間、表７の場合は約１．４時間、表８の場合は約３時間、それぞれの時間がかかることとなる。
【００４１】
本発明の実施形態に係る空気清浄機はいろいろな形態、形状に対応が出来ると共に小形の空気清浄機から大型の空気清浄機、ガス洗浄機として応用来る。
【００４２】
図１に於いてフイルター取り付け枠７がフイルター２に挿入されていて貯留部３に下端が浸されている。側板１に入空気Aiを吸入する開口が有り入空気Aiはフイルター２を通過して清浄されフアン４にて出空気Aoが排気される。フイルター２により清浄された空気を吸気することでフアン４の羽根の汚れを防ぐ。水Ｗは貯留部３よりポンプ８でヘッダー６へ送られノズル５にてフイルター２に供給される。
【００４３】
図２に於いてフイルター取り付け枠７とフイルター２は一体に組み立てて有り水の貯留部３に下端が浸されている。側板１は入空気Aiを吸入する開口が有り入空気Aiはフイルター２を通過して清浄されフアン４にて出空気Aoが排気される。フイルター２により清浄された空気を吸気することによりフアン４の羽根の汚れを防ぐ。水Ｗは貯留部３よりポンプ８でヘッダー６に送られノズル５にてフイルター２に供給される。
【００４４】
図３、図４に於いてフイルター取り付け枠７はフイルター２に挿入されていて水の貯留部３に下端が浸されている。入空気Aiを吸入する箇所はポンプ収納筐１３と行灯木枠１０との空間から吸気される。入空気Aiは飾り和紙１１とフイルター２の隙間を通りフイルター２通過して清浄された出空気Aoはフアン４にて排気される。フイルター２により清浄された空気を吸気することでフアン４の羽根の汚れを防ぐ。水Ｗは貯留部３よりポンプ８でヘッダーに送られノズル５にてフイルター２に供給される。
【００４５】
図１、図２、図３、図５、図７、図９に於いてノズル５で供給された水がフイルター２に当たる個所の下方に部材１４を設けて溜水１５を作り水平方向に分散させて、フイルター２の全面に水を満たし編み目に水膜を作ると共に繊維に浸透させる。
【００４６】
図３、図５に於いてポンプ収納筐１３に設置されている照明電灯１２は飾り和紙１１を照らして絵柄も鑑賞できる。
【００４７】
図５、図６に示す横設置型補給水タンクから貯留槽９へ水を供給する給水機構を示すものである。図６水の出口ノズル１９はパイプ状で先端はデフューザーの形状なっていて、水を安定的に流すスタビライザー２０をも有していると共に水の表面張力を破るため先端が斜めの形状になっている。緩衝器１８は水面２４が下がると面積が減じる形になっていて緩衝器１８と貯留槽９は連通管２１で繋がっている貯留槽９内の水が気化により水面２４が下がると緩衝器１８の水面２４も下がる。補給水タンク１７の水の出口ノズル１９には水面２４の面積が受ける圧力と同じ高さに空気取り入れ口２２が開けてあり、緩衝器１８の水面２４が下がると水面面積が減じて水中圧２３の圧力が水面２４の圧力より大きくなり緩衝器１８に水が排出する。水が排出すると空気孔２２から空気がノズル１９内へ入り水の排出容量だけ補給水タンク１７に空気が入り水の排出が止まる構造になっている。
【００４８】
図７、図８に於いてフイルター取り付け枠７とフイルター２は水の貯留部に下端が浸されている。側板１に入空気Aiを吸入する開口が有り入空気Aiはフイルター２を通過して清浄され、フアン４にて出空気Aoが排気される。フイルター２の上方に補給水タンク１７設けて有り補給水タンク１７とフイルター２の間には上下を隔てる樋型隔壁３０を設けていて空気全量をフイルター２へ通過させる役目をする。樋型隔壁３０からのフイルター２への水の供給は給水部品３１で行う。
【００４９】
図９に於いて大型化対応の基本組立図を示す図で粉塵、埃、微粒子を含んだ高温、高湿度のガスの集塵、冷却、並びに蒸気を凝縮させるガス洗浄機として利用できる。１は側板、２はフイルター、３は水の貯留部、５はスプレーノズル、６はヘッダー、７はフイルター取り付け枠、３４は循環ポンプ、３５は排風フアン、３６は自動給水弁、３８は沈殿物排出コンベヤーである。フイルター２の材質は帆布を使用することも可能で、それに対応する静圧のフアンを選定する。沈殿物排出コンベヤー３８はチェーンコンベヤーを使用タンク本体の底に溜まった沈殿物を排出する。液面調節計３７は気化により下がった水の貯留部の水面を検知して減少した水を補給する。
【００５０】
図１０は空気清浄機の実施例基本組立図である。１０１は水の貯留部、１０２はフイルター、１０３は給水部品、１０４はフアン、１０５は補給水タンク、１０６は貯留槽、Ｗは水、Ａiは入空気、Ａoは出空気である。補給水タンクより重力で水をフイルター全面に供給しフアンで空気を吸い込み空気清浄の実証実験を行えると同時に加湿機能の実証実験が行える空気清浄実験機組立図其の１である。
【００５１】
図１１は図５空気清浄機模式図其の４の実施例基本組立図である。２０１は水の貯留部、２０２はフイルター、２０３はポンプ、２０４はフアン、２０５はスプレーノズル、２０６はヘッダー、２０７は補給水タンク、２０８は緩衝器、２０９は貯留槽、２１０は連通管、２１１は吐出側配管、２１２は吸入側配管、Ａiは入空気、Ａoは出空気、Ｗは水である。実証実験に於いて手動スイッチでポンプを起動しフイルター全面に水を供給し、タイマーの設定時間でポンプを停止させる。フイルターの水分が少なくなるまでの一定の時間が経過後再度手動スイッチでポンプを起動させる。其の繰り返し運転で空気清浄の実証実験を行なえると同時に加湿機能の実証実験が行える空気清浄実験機組立図其の２で有る。
【００５２】
本発明の実施するための形態に係る空気清浄機に於いてフイルターに使用する素材は一般に市販されているタオル地、綿サラシ、不織布等を縫合成型加工して使用する。本フイルターは廉価であり通気性、保湿性、吸水性に優れて居り、洗濯後天日干しを行い何度でも再使用が出来るので衛生的にも優れているし加工性も良い。本フイルターの編み目に出来る水膜及び水の浸透した繊維で埃、微粒子を効率よく捕集が出来ると共に温度及び湿度の低い季節に加湿機としての機能を有している。本発明の空気清浄機に於いて全面に水が満たしているフイルターを空気が通過する時、タオル地の圧力損失は小さく又綿サラシ、不織布の圧力損失はタオル地に比べ若干大きいが適時な風量を得るにはフアンの静圧を多少高くすれば良い。本発明の空気清浄機は産業用としても利用が可能で有り、例えば粉塵、埃、微粒子を含んだ高温、高湿度のガスを冷却並びに蒸気の凝縮させるガス洗浄機として利用が可能であり、フイルターは帆布を縫合成型加工して使っても良い。
【００５３】
図１６は小型空気清浄機の実施例基本組立図である。３０１は空気取り入れ外筒
３０２はフイルター取り付け用内筒、３０３は外筒トップリング、３０４は排風フード、３０５はフアン運転監視風車、３０６は取手、３０７は粘着剤、３０８は噴霧口、３０９は水の貯留部、Ａiは入り空気、Ａoは出空気、Ｗは水、３１０はフイルター、３１１はフアン、３１２は給水口である。排風フードの側面には開口部がありその開口部からフイルターで清浄、加湿された空気が一定方向に排風することが出来る簡素な構造になっていて、取り扱いも簡便な事により卓上湿式空気清浄機として使用できる。
【００５４】
図１６に於いて排風フード３０４内に設けられた風車３０５はフアンの排風で回転する。そのことによりフアン３１１の運転監視が出来る。また貯留部３０９の水Ｗが蒸発により減少枯渇するとフイルター３１０が乾燥する。そのため空気Ａiが通過する時の圧力損失が小さくなり空気の排風量が増して回転が速くなり貯留部３０９内の水Ｗの有無が確認出来る。
【００５５】
図１６に於いて空気取り入れ外筒３０１には噴霧口３０８が複数個有り室内の温度が高く関係湿度が低い状態においてフイルター３１０の上部が乾燥するため噴霧口３０８より適時、手動霧吹きポンプでフイルター３１０に散水する。又貯留部３０９への水Ｗの給水は給水口３１２からペットボトル等の容器で行う。水Ｗは界面活性剤入りの除菌剤、除臭剤、アロマオイル等適量混ぜ合わせて使用することで癒し効果が出る。
【００５６】
図１７は本発明の空気清浄機に使用する空気取り入れ外筒３０１及びフイルター取り付け用内筒３０２に使用するステンレス製ウエッジワイヤー材を示す。他に穴あき形状が異なる各種ステンレス製パンチングメタルを使用できる。又成型加工した合成樹脂を使用することにより軽量化、低価格化できる。
【符号の説明】
【００５７】
１    側板
２    フイルター
３    水の貯留部
４    フアン
５    スプレーノズル
６    ヘッダー
７    フイルター取り付け枠
８    ポンプ
９    貯留槽
１０    行灯木枠
１１    飾り和紙
１２    照明灯電灯
１３    ポンプ収納筐
１４    部材
１５    溜水
１６    給水口
１７    補給水タンク
１８    緩衝器
１９    出口ノズル
２０    スタビライザー
２１    連通管
２２    空気孔
２３    水柱圧
２４    水面
２５    主配管
２６    吸入側配管
２７    吐出側配管
２８    補給水タンク
２９    給水バルブ
３０    樋型隔壁
３１    給水部品
３２    隔壁クリップ
３３    エアーシール
３４    循環ポンプ
３５    排風フアン
３６    水面計
３７    液面調節計
３８    沈殿物排出コンベヤー
３９    補給水タンクカバー
１０１  水の貯留部
１０２  フイルター
１０３  給水部品
１０４  フアン
１０５  補給水タンク
１０６  貯留槽
２０１  水の貯留部
２０２  フイルター
２０３  ポンプ
２０４  フアン
２０５  スプレーノズル
２０６  ヘッダー
２０７  補給水タンク
２０８  緩衝器
２０９  貯留槽
２１０  連通管
２１１  吐出側配管
２１２  吸入側配管
２１３  主配管  
２１４  部材
２１５  溜水
３０１  空気取り入れ外筒
３０２  フイルター取り付け内筒
３０３  外筒トップリング
３０４  排風フード
３０５  監視風車
３０６  取手
３０７  粘着剤
３０８  噴霧口
３０９  水の貯留部
３１０  フイルター
３１１  フアン
３１２  給水口
Ａｉ    入空気
Ａo    出空気
Ｗ    水
【図１】
2017113655.tif 000011
【図２】
2017113655.tif 000012
【図３】
2017113655.tif 000013
【図４】
2017113655.tif 000014
【図５】
2017113655.tif 000015
【図６】
2017113655.tif 000016
【図７】
2017113655.tif 000017
【図８】
2017113655.tif 000018
【図９】
2017113655.tif 000019
【図１０】
2017113655.tif 000020
【図１１】
2017113655.tif 000021
【図１２】
2017113655.tif 000022
【図１３】
2017113655.tif 000023
【図１４】
2017113655.tif 000024
【図１５】
2017113655.tif 000025
【図１６】
2017113655.tif 000026
【図１７】
2017113655.tif 000027